(57)【特許請求の範囲】
【請求項１】
リモートコントローラとリモートセンサとが複数の室内機に通信可能に接続され、これらの室内機が集中制御装置に通信可能に接続される空気調和システムにおいて、
上記リモートセンサと上記リモートコントローラとが室内の温度をそれぞれ検出可能に構成され、リモートセンサ及びリモートコントローラが共に通信線を介して接続された室内機を備え、
上記通信線を伝送する通信フレームが、ヘッダ部分と、温度データが格納されるデータ部分とを有し、上記ヘッダ部分が、送信元アドレスエリアと、データ部分の内容を規定するコマンドエリアとを有し、
上記リモートセンサから送信される通信フレームには、送信元アドレスエリアに、リモートコントローラと識別するための専用の送信元アドレスを設定すると共に、上記コマンドエリアに、通信フレームのデータ部分に格納されたデータが該リモートセンサによって検出された温度データであることを示す専用コマンドを設定して、リモートコントローラとリモートセンサとを通信上区別可能に構成し、
上記リモートセンサ及び上記リモートコントローラが共に接続された室内機が、通信により上記リモートコントローラを親リモートコントローラとして認識して、このリモートコントローラにより制御されることを特徴とする空気調和システム。
【請求項２】
上記リモートセンサからの通信が一定時間中断した場合に、当該室内機に内蔵された温度センサが検出した温度に基づき制御可能に構成されたことを特徴とする請求項１に記載の空気調和システム。
【発明の詳細な説明】
【０００１】
【発明の属する技術分野】
本発明はリモートコントローラとリモートセンサの少なくとも一方と通信可能に接続された複数の室内機を有する空気調和システムに関する。
【０００２】
【従来の技術】
図３（Ａ）、（Ｂ）にそれぞれ示す従来の空気調和システム１００、１１０は、リモートセンサ１０１が通信可能に接続された室内機１０２と、リモートコントローラ１０３が通信可能に接続された室内機１０４と、室外機１０５及び１０６と、室内機１０２、１０４、室外機１０５及び１０６に通信可能に接続された集中制御装置１０７と、を有して構成される。更に、空気調和システム１００では、室内機１０２にリモートコントローラ１０８が通信可能に接続されている。
【０００３】
上述の空気調和システム１００及び１１０において、リモートセンサ１０１には、温度センサ（不図示）を内蔵したリモートコントローラを基本とし、そのリモートコントローラの操作スイッチ等を使用不可能として構成されたものがある。
【０００４】
【発明が解決しようとする課題】
上述のようなリモートセンサ１０１では、室内機１０２、集中制御装置１０７との間でなされる通信の形態（仕様）は、リモートコントローラ１０８、１０３が室内機１０２、１０４、集中制御装置１０７との間で実施する通信の形態（仕様）と全く同一である。このため、リモートセンサ１０１とリモートコントローラ１０８、１０３とにおいて通信上の区別ができない。
【０００５】
従って、室内機１０２にリモートコントローラ１０８が接続されず、リモートセンサ１０１のみが接続された図３（Ｂ）に示す空気調和システム１１０では、室内機１０２は、リモートセンサ１０１からの通信であっても、リモートコントローラからの通信であると判断してしまい、従って、集中制御装置１０７も同様に、室内機１０２にはリモートコントローラが接続されていると判断してしまう。一般に、室内機にリモートコントローラが接続されている場合には、当該室内機は、このリモートコントローラによって制御され、集中制御装置１０７がこの室内機を制御しないよう構成されるので、集中制御装置１０７は室内機１０２の例えばフラップ角度等を制御できない。室内機１０２には、リモートコントローラ１０８が接続されていないので、結局、この室内機１０２の制御が良好に実施できなくなってしまう。
【０００６】
また、室内機１０２にリモートコントローラ１０８及びリモートセンサ１０１が接続された図３（Ａ）に示す空気調和システム１００では、室内機１０２は、通信上リモートセンサ１０１を親リモートコントローラとして、リモートコントローラ１０８を子リモートコントローラとしてそれぞれ認識するので、この場合も、リモートコントローラ１０８や集中制御装置１０７によって室内機１０２を良好に制御できない場合が生ずる。
【０００７】
本発明の目的は、上述の事情を考慮してなされたものであり、室内機を良好に制御できる空気調和システムを提供することにある。
【０００８】
【課題を解決するための手段】
請求項１に記載の発明は、リモートコントローラとリモートセンサとが複数の室内機に通信可能に接続され、これらの室内機が集中制御装置に通信可能に接続される空気調和システムにおいて、上記リモートセンサと上記リモートコントローラとが室内の温度をそれぞれ検出可能に構成され、リモートセンサ及びリモートコントローラが共に通信線を介して接続された室内機を備え、上記通信線を伝送する通信フレームが、ヘッダ部分と、温度データが格納されるデータ部分とを有し、上記ヘッダ部分が、送信元アドレスエリアと、データ部分の内容を規定するコマンドエリアとを有し、上記リモートセンサから送信される通信フレームには、送信元アドレスエリアに、リモートコントローラと識別するための専用の送信元アドレスを設定すると共に、上記コマンドエリアに、通信フレームのデータ部分に格納されたデータが該リモートセンサによって検出された温度データであることを示す専用コマンドを設定して、リモートコントローラとリモートセンサとを通信上区別可能に構成し、上記リモートセンサ及び上記リモートコントローラが共に接続された室内機が、通信により上記リモートコントローラを親リモートコントローラとして認識して、このリモートコントローラにより制御されることを特徴とするものである。
【０００９】
請求項２に記載の発明は、請求項１に記載の発明において、上記リモートセンサからの通信が一定時間中断した場合に、当該室内機に内蔵された温度センサが検出した温度に基づき制御可能に構成されたことを特徴とするものである。
【００１１】
請求項１に記載の発明には、次の作用がある。
【００１２】
リモートセンサとリモートコントローラとが室内の温度をそれぞれ検出可能に構成され、リモートセンサ及びリモートコントローラが共に通信線を介して接続された室内機を備え、この室内機に接続されたリモートコントローラとリモートセンサとが通信上区別可能に通信仕様が構成されたことから、リモートコントローラからの通信とリモートセンサからの通信とを明確に区別でき、この結果、リモートコントローラにより室内機を良好に制御できる。
【００１３】
請求項２に記載の発明には、次の作用がある。
【００１４】
リモートセンサからの通信が一定時間中断した場合に、室内機に内蔵された温度センサが検出した温度に基づき当該室内機が制御可能に構成されたことから、リモートセンサと室内機との通信が断線した場合であっても、室内機の運転を正常に継続することができる。
【００１５】
【発明の実施の形態】
以下、本発明の実施の形態を、図面に基づき説明する。
【００１６】
図は、本発明に係る空気調和システムの一実施の形態を示し、（Ａ）が室内機にリモートコントローラ及びリモートセンサの両者が接続された場合、（Ｂ）が室内機にリモートセンサのみが接続された場合をそれぞれ示す系統図である。
【００１７】
これらの図１（Ａ）、（Ｂ）にそれぞれ示す空気調和システム１０、２０は、室外機１１と複数の室内機１２とが図示しない冷媒配管により接続されて空気調和装置１３が構成され、室外機１４と複数の室内機１５とが他の冷媒配管（不図示）にて接続されて他の空気調和装置１６が構成され、室内機１２にリモートセンサ１７が通信線Ｂを用いて通信可能に接続され、室内機１５にリモートコントローラ１８が通信線Ｃを用いて通信可能に接続され、空気調和装置１３の室外機１１及び室内機１２並びに空気調和装置１６の室外機１４及び室内機１５が、集中制御装置１９に通信線Ａを用いて通信可能に接続されたものである。更に、空気調和システム１０では、室内機１２に通信線Ｂを用いてリモートセンサ１７の他に、リモートコントローラ２１が通信可能に接続されている。
【００１８】
ここで、上記リモートセンサ１７は、このリモートセンサ１７及び室内機１２が設置された室内の温度を検出可能とする。また、リモートコントローラ１８とリモートコントローラ２１の少なくとも一方は、図示しない温度センサを内蔵している。リモートコントローラ１８は、このリモートコントローラ１８及び室内機１５が設置された室内の温度を、またリモートコントローラ２１は、このリモートコントローラ２１及び室内機１２が設置された室内の温度をそれぞれ検出可能とする。
【００１９】
空気調和装置１３の室外機１１及び室内機１２は、通信線Ａを用いて集中制御装置１９により集中制御可能とされ、通信線Ｂを用いてリモートコントローラ２１により一括して制御（グループ制御）可能とされる。また、空気調和装置１６の室外機１４及び室内機１５は、通信線Ａを用いて集中制御装置１９により集中制御可能とされ、通信線Ｃを用いてリモートコントローラ１８により一括制御（グループ制御）可能とされる。
【００２０】
これらの通信線Ａ、Ｂ及びＣを伝送する通信フレーム２２は、図２に示すように、ヘッダ部分２３及びデータ部分２４を有してなり、データ部分２４に温度データ等のデータが格納される。
【００２１】
ヘッダ部分２３は、通信フレーム２２を送信した送信元の機器を示す送信元アドレス（ＳＡ）を記述するための送信元アドレスエリア２５と、通信フレーム２２が到達されるべき送信先の機器を示す送信先アドレス（ＤＡ）を記述するための送信先アドレスエリア２６と、通信フレーム２２のフレーム長さ（ＢＢ）を記述するためのフレーム長さエリア２７と、通信フレーム２２におけるコマンドの種類などの制御を行う制御コード（ＣＣ）を記述するための制御コードエリア２８と、通信フレーム２２におけるデータ部分２４の内容などを規定するコマンド（ＣＭＤ）を記述するためのコマンドエリア２９とを有する。更に、通信フレーム２２には、最後尾部分に、通信フレーム２２を送受信したときのデータの誤りを検出するフレームチェックコード（ＦＣＣ）を記述するためのフレームチェックコードエリア３０を有する。
【００２２】
このような通信フレーム２２は、集中制御装置１９、室外機１１、室内機１２、室外機１４、室内機１５、リモートセンサ１７、リモートコントローラ１８及び２１間で送信され、または受信される。
【００２３】
このうち、特にリモートセンサ１７から送信される通信フレーム２２には、送信元アドレスエリア２５に、リモートコントローラ１８及び２１と識別するための専用の送信元アドレス（ＤＡ）が設定され、更にコマンドエリア２９に、この通信フレーム２２のデータ部分２４に格納されたデータがリモートセンサ１７にて検出された温度データであることを示す専用のコマンド（ＣＭＤ）が設定される。これにより、通信線Ａ、Ｂ及びＣを伝送する通信フレーム２２の通信仕様は、リモートコントローラ１８及び２１とリモートセンサ１７とにおいて通信上区別可能に構成されることになる。
【００２４】
従って、集中制御装置１９及び室内機１２は、リモートセンサ１７からの通信フレーム２２と、リモートコントローラ２１からの通信フレーム２２とを明確に区別することができる。この結果、図１（Ａ）の空気調和システム１０のように、室内機１２にリモートセンサ１７及びリモートコントローラ２１が共に接続された場合には、集中制御装置１９及び室内機１２がリモートコントローラ２１を親リモートコントローラとして認識できるので、室内機１２は、このリモートコントローラ２１により良好に制御可能とされる。
【００２５】
また、集中制御装置１９及び室内機１２は、リモートセンサ１７からの通信フレーム２２と、リモートコントローラ２１からの通信フレーム２２とを明確に区別できるので、図１（Ｂ）の空気調和システム２０のように、室内機１２にリモートコントローラ２１が接続されず、リモートセンサ１７のみが接続されている場合には、室内機１２にはリモートコントローラが接続されていない事実を正確に認識できる。このため、室内機１２は、集中制御装置１９によりそのフラップ角度等が良好に制御可能とされる。
【００２６】
一方、室内機１２には温度センサ３１が内蔵されており、この温度センサ３１により、室内機１２が設置された室内の温度が検出可能とされる。室内機１２、集中制御装置１９は、リモートセンサ１７との定期通信が中断された時には、直ちに温度センサ３１にて室温を検出し、この検出された室温（温度）データに基づいて室内機１２を制御するよう構成されている。
【００２７】
以上のことから、上記実施の形態によれば、次の効果▲１▼及び▲２▼を奏する。
【００２８】
▲１▼室内機１２に接続されたリモートコントローラ２１とリモートセンサ１７とが通信上区別可能に通信仕様が構成されたことから、集中制御装置１９及び室内機１２は、リモートコントローラ２１からの通信とリモートセンサ１７からの通信とを明確に区別できる。このため、例えば、室内機１２にリモートコントローラ２１が接続されず、リモートセンサ１７のみが接続されている場合に、室内機１２及び集中制御装置１９はリモートセンサ１７との通信によってその旨（リモートコントローラ２１無し）を正確に判断でき、この結果、集中制御装置１９は室内機１２を良好に制御できる。
【００２９】
▲２▼リモートセンサ１７からの通信が一定時間中断した場合に、室内機１２に内蔵された温度センサ３１が検出した温度に基づき当該室内機１２が制御可能に構成されたことから、リモートセンサ１７と室内機１２との通信が断線した場合であっても、この室内機１２の運転を正常に継続することができる。
【００３０】
以上、本発明を上記実施の形態に基づいて説明したが、本発明はこれに限定されるものではない。
【００３１】
【発明の効果】
以上のように、本発明に係る空気調和システムによれば、リモートコントローラとリモートセンサとが通信上区別可能に通信仕様が構成されたことから、室内機を良好に制御できる。
【図面の簡単な説明】
【図１】本発明に係る空気調和システムの一実施の形態を示し、（Ａ）が室内機にリモートコントローラ及びリモートセンサの両者が接続された場合、（Ｂ）が室内機にリモートセンサのみが接続された場合をそれぞれ示す系統図である。
【図２】図１の空気調和システムにおいて伝送される通信フレームを示す図である。
【図３】従来の空気調和システムを示し、（Ａ）が室内機にリモートコントローラ及びリモートセンサの両者が接続された場合、（Ｂ）が室内機にリモートセンサのみが接続された場合をそれぞれ示す系統図である。
【符号の説明】
１０、２０  空気調和システム
１２、１５  室内機
１７  リモートセンサ
１８、２１  リモートコントローラ
１９  集中制御装置
２２  通信フレーム
２５  送信元アドレスエリア
２９  コマンドエリア
３１  温度センサ
Ａ、Ｂ、Ｃ  通信線
【図１】
0003945970.tif 000002
【図２】
0003945970.tif 000003
【図３】
0003945970.tif 000004